(57)【要約】【課題】  種結晶と結晶方位がそろった結晶を歩留りよく育成することができ、大型の結晶を効率的に育成することを可能にする。【解決手段】  るつぼ１０のテーパ収納部１１ｂのテーパ面に接する面が、テーパ面と同一の傾斜角度を有するテーパ面に形成された接触面を備える種結晶２０を使用し、るつぼ１０に種結晶２０を配置する際に、テーパ収納部１１ｂのテーパ面に種結晶２０の接触面を接触させて配置し、結晶原料を溶融した際に、融液がテーパ収納部１１ｂと種結晶２０との界面に流れ込むことを抑制して種結晶２０から単結晶を成長させる。【選択図】  図１
2012236733.tif 000002
【特許請求の範囲】
【請求項１】
垂直ブリッジマン法による結晶育成に用いる結晶育成用るつぼであって、
るつぼの底部に種結晶を収納するテーパ収納部を備え、
該テーパ収納部は、種結晶を支持する内面が、結晶原料を収納する収納部に対し反対側へ徐々に縮径するテーパ面に形成されていることを特徴とする結晶育成用るつぼ。
【請求項２】
前記テーパ収納部と前記収納部とが、前記テーパ収納部のテーパ面よりも傾斜角度が緩く、前記テーパ収納部に向けて徐々に縮径するテーパ面からなるテーパ連結部により連結されていることを特徴とする請求項１記載の結晶育成用るつぼ。
【請求項３】
前記収納部は、収納部の開口側へ徐々に縮径するテーパ面に形成されていることを特徴とする請求項１または２記載の結晶育成用るつぼ。
【請求項４】
請求項１〜３のいずれか一項記載の結晶育成用るつぼを用いて結晶を育成する結晶育成方法であって、
前記テーパ収納部のテーパ面に接する面が、該テーパ面と同一の傾斜角度を有するテーパ面に形成された接触面を備える種結晶を使用し、
るつぼに種結晶を配置する際に、前記テーパ収納部のテーパ面に前記種結晶の接触面を接触させて配置し、
結晶原料を溶融した際に、融液が前記テーパ収納部と前記種結晶との界面に流れ込むことを抑制して種結晶から単結晶を成長させることを特徴とする結晶育成方法。
【請求項５】
前記テーパ収納部のテーパ面が円錐面として形成され、
前記種結晶として、円錐形状あるいは円錐台形状に形成した種結晶を使用することを特徴とする請求項４記載の結晶育成方法。
【請求項６】
前記種結晶としてサファイア結晶を使用し、前記結晶原料としてサファイアを使用してサファイアの単結晶を育成することを特徴とする請求項４または５記載の結晶育成方法。
【発明の詳細な説明】
【技術分野】
【０００１】
本出願は結晶の育成に用いるるつぼとこのるつぼを用いる結晶の育成方法に関する。
【背景技術】
【０００２】
サファイア単結晶は種々の工業用途に用いられるが、中でも、LED製造用の下地基板としての用途が最近、注目されている。すなわち、LEDの製造においては、サファイア基板上にバッファー層及び窒化ガリウム系薄膜をエピタキシャル成長させてLED発光基板を得る方法が主流となってきている。このため、サファイア基板を効率的にかつ安定的に生産するために、大型のサファイア単結晶を安定して育成する方法が求められている。
【０００３】
本発明者は、垂直ブリッジマン法を利用してサファイア単結晶を育成する方法について提案した（特許文献１）。このサファイア結晶の育成方法は、るつぼの底にサファイアの種結晶を置き、種結晶の上にサファイアの結晶原料を充填して、所定の温度勾配を設けた加熱炉内でるつぼを鉛直方向に昇降させて、種結晶から結晶を成長させて単結晶を得る方法である。
【０００４】
垂直ブリッジマン法による結晶の育成方法には、底部を下方に縮径するテーパ形状としたるつぼを使用し、温度勾配を設けた加熱炉内で高温側から低温側に徐々にるつぼを降下させ、るつぼの底に結晶核を生成させて結晶を育成する方法（特許文献２）、るつぼの底から下方に細径のポケット部を延出させたるつぼを使用し、ポケット部に種結晶を収納し、るつぼに結晶原料を収納して種結晶から結晶を育成する方法（特許文献３、４）等がある。
【０００５】
前述した本発明者による垂直ブリッジマン法を利用するサファイア結晶の育成方法では、底を平坦面としたるつぼの底にサファイアの単結晶を置き、その上にサファイアの結晶原料を充填し、加熱炉炉内でるつぼを昇降させて単結晶を育成する。具体的には、上側が高温となる温度勾配を設けた加熱炉内で、まず、るつぼを下位置とした状態から徐々に上昇させて結晶原料を上側から徐々に溶融していき、結晶原料が下側まで完全に溶融して融液が種結晶に接したところで種子付けし、その状態でるつぼの移動方向を下向きに反転させ、種結晶から徐々に結晶を成長させて単結晶を育成する。
【先行技術文献】
【特許文献】
【０００６】
【特許文献１】特開２０１１−４２５６０号公報
【特許文献２】特開平１０−２５１０９７号公報
【特許文献３】特開平９−１４２９８２号公報
【特許文献４】特開平１０−１３００９０号公報
【発明の概要】
【発明が解決しようとする課題】
【０００７】
上述したるつぼの底に種結晶を置いて単結晶を育成する方法は、種結晶と結晶方向がそろった大きな単結晶を育成する方法として有効に利用することができる。しかしながら、この結晶の育成方法においては、成長させた結晶の外周部分の結晶方位が種結晶の結晶方位とずれてしまい、結晶全体としての結晶方位が完全に一致しない場合がある。このため、大きな単結晶を育成しても、結晶の外周部分は製品として使用できなくなり、歩留りが悪いという問題があった。
本発明は、るつぼの底に種結晶を配置して結晶を育成する垂直ブリッジマン法を利用する結晶の育成方法において、結晶全体としての結晶方位を種結晶の結晶方位に一致させて育成することができる単結晶育成用るつぼ及び結晶の育成方法を提供することを目的とする。
【課題を解決するための手段】
【０００８】
本出願に係る結晶育成用るつぼは、垂直ブリッジマン法による結晶育成に用いる結晶育成用るつぼであって、るつぼの底部に種結晶を収納するテーパ収納部を備え、該テーパ収納部は、種結晶を支持する内面が、結晶原料を収納する収納部に対し反対側へ徐々に縮径するテーパ面に形成されていることを特徴とする。なお、テーパ面とは滑らかな傾斜面によって形成されている意であり、典型的には円錐面であるが、円錐面に限定されるものではない。また、傾斜面（断面方向から見た状態）は完全に直線的（線形）である必要はなく、若干湾曲していてもよい。
【０００９】
また、結晶育成用るつぼとして、前記テーパ収納部と前記収納部とが、前記テーパ収納部のテーパ面よりも傾斜角度が緩く、前記テーパ収納部に向けて徐々に縮径するテーパ面からなるテーパ連結部により連結されている構成を備えるものは、小型の種結晶を使用して結晶を育成することができるという利点がある。
また、前記収納部は、収納部の開口側へ徐々に縮径するテーパ面に形成されていることにより、育成した結晶をるつぼから取り出す操作が容易になり、結晶に作用する応力を緩和して結晶中にクラックが発生するといった問題を回避することができるという利点がある。
【００１０】
また、本発明に係る結晶育成方法は、上述した結晶育成用るつぼを用いて結晶を育成する結晶育成方法であって、前記テーパ収納部のテーパ面に接する面が、該テーパ面と同一の傾斜角度を有するテーパ面に形成された接触面を備える種結晶を使用し、るつぼに種結晶を配置する際に、前記テーパ収納部のテーパ面に前記種結晶の接触面を接触させて配置し、結晶原料を溶融した際に、融液が前記テーパ収納部と前記種結晶との界面に流れ込むことを抑制して種結晶から単結晶を成長させることを特徴とする。
前記テーパ収納部のテーパ面が円錐面として形成されている場合には、前記種結晶として、円錐形状あるいは円錐台形状に形成した種結晶が好適に使用できる。
また、本発明に係る結晶育成方法は、前記種結晶としてサファイア結晶を使用し、前記結晶原料としてアルミナ（Al2O3)の圧粉体または焼結体を使用してサファイアの単結晶を育成する方法として好適に利用することができる。
【発明の効果】
【００１１】
本発明に係る結晶育成用るつぼは、種結晶を収納するテーパ収納部のテーパ面と種結晶との界面に結晶原料の融液が流れ込むことを効果的に抑えて結晶を育成する方法に好適に利用することができ、本発明に係る結晶育成方法によれば、種結晶と結晶方位がそろった結晶を確実に製造することができる。
【図面の簡単な説明】
【００１２】
【図１】結晶育成用るつぼの第１の実施の形態の構成を示す断面図である。
【図２】サファイア結晶の育成に使用したるつぼと種結晶の配置を示す説明図である。
【図３】育成したサファイア結晶の外観写真である。
【図４】育成したサファイア結晶の外観写真（ａ）、結晶の断面のトポグラフ写真（ｂ）である。
【図５】従来方法によって育成したサファイア結晶の外観写真（ａ）、結晶の断面のトポグラフ写真（ｂ）である。
【図６】従来のるつぼを用いた場合（ａ）、（ｂ）と、本発明に係るるつぼを用いた場合（ｃ）、（ｄ）での結晶の成長の様子を示す説明図である。
【図７】結晶育成用るつぼの第２の実施の形態の構成を示す断面図である。
【図８】サファイア結晶の育成に使用したるつぼと種結晶の配置（ａ）、育成した結晶の外観写真（ｂ）、結晶の断面のトポグラフ写真（ｃ）である。
【発明を実施するための形態】
【００１３】
（第１の実施の形態）
図１は、本発明に係る結晶の育成方法に用いるるつぼの第１の実施の形態を示す。
図１に示するつぼ１０は、全体形状が円柱状をなするつぼ材を一方の面側（上側）から掘り込み、種結晶と結晶原料を収容する容器部１１を設けた形状に形成されている。
容器部１１は、るつぼ１０の上部に設けた結晶原料を収納する収納部１１ａと、収納部１１ａの下部に設けられたテーパ収納部１１ｂとによって構成される。収納部１１ａは、内面形状が円筒状に形成され、テーパ収納部１１ｂは、その内面が下方（収納部１１ａとは反対側）に徐々に縮径するテーパ面（この例では円錐面）に形成されている。
【００１４】
図示例のるつぼ１０では、収納部１１ａの内面を、開口側へ徐々に縮径するテーパ面（鉛直方向に対する傾斜角度は数度）に形成している。これは、結晶を育成した後にるつぼ１０から結晶を取り出しやすくするためである。サファイア結晶を育成する例では、育成後の結晶は、るつぼ１０の内面から比較的容易に剥離するから、収納部１１ａは単に円筒状としてもよいが、収納部１１ａの内面をテーパ状とすることで、単結晶の取り出しをより容易にすることができる。また、収納部１１ａの内面をテーパ面とすることで育成後の結晶に、るつぼ側から作用する応力を抑制し、結晶にクラックが入ったりする問題を回避する作用もある。
【００１５】
図１では、るつぼ１０に種結晶２０と温度測定用の熱電対３０を配置した状態を示す。種結晶２０は、テーパ収納部１１ｂのテーパ面（傾斜面）上に位置するように配置する。種結晶２０は、テーパ収納部１１ｂのテーパ面に接する面（接触面）をテーパ収納部１１ｂの傾斜角度と一致するテーパ面とし、テーパ収納部１１ｂに配置した際に、テーパ収納部１１ｂのテーパ面に、隙間なくぴったりと重ね合わせられるように成形する。
【００１６】
種結晶２０の接触面とテーパ収納部１１ｂのテーパ面（傾斜面）との間に隙間が生じないようにして種結晶２０を配置するのは、収納部１１ａに収納する結晶原料が溶融した際に、種結晶２０とテーパ収納部１１ｂとの界面に結晶原料の融液が流れ込まない（侵入しない）ようにするためである。
図１では、種結晶２０を円錐台形状とし、テーパ収納部１１ｂに種結晶２０を配置した際に、テーパ収納部１１ｂの底と種結晶２０の下面との間に空間が生じるようにしている。これは、種結晶２０をテーパ収納部１１ｂにセットしたときに、種結晶２０がテーパ収納部１１ｂのテーパ面から浮き上がらないようにし、種結晶２０の接触面（テーパ面）がテーパ収納部１１ｂのテーパ面に必ず接するようにするためである。
【００１７】
テーパ収納部１１ｂのテーパ面から浮き上がらないように種結晶２０の形状と大きさを設定するのであれば、種結晶２０は、必ずしも円錐台形状にする必要はなく、円錐状に形成してもよい。
また、テーパ収納部１１ｂは種結晶２０を支持する内面をテーパ面（傾斜面）とすることによって種結晶２０とテーパ収納部１１ｂとの界面に隙間が生じないようにすることを目的とするから、テーパ収納部１１ｂのテーパ面は種結晶２０を密接させて支持する面形状であればよく、完全な円錐面でなければならないものではない。たとえば、テーパ収納部１１ｂの底部をなめらかに面取りした形態とすることも可能である。
【００１８】
種結晶２０は、るつぼ１０にセットした際に、外周縁部（種結晶２０の上側の位置）がテーパ収納部１１ｂのテーパ面の最大径位置よりも内側（下側）に位置するように大きさを設定する。すなわち、種結晶２０はその接触面が、テーパ収納部１１ｂのテーパ面上すべて含まれるように成形する。図１においては、種結晶２０の上側の面とテーパ収納部１１ｂの最大径となる位置とは比較的広く空いている。このような配置は、種結晶２０を小型化する点からも有効である。
【００１９】
なお、種結晶２０を円錐形状に形成する場合、種結晶２０の上側の面（結晶原料が接触する側）を平坦面とする必要はなく、若干の凹凸があっても結晶育成上は問題ない。種結晶２０は、成長させる結晶の結晶方位を規定することになるから、種結晶２０を形成する際には、育成する結晶の結晶方位に合わせて種結晶２０のカット面（傾斜面）の方向を定めて加工する。
【００２０】
図１においては、るつぼ１０の下面の中央部に凹部３０ａを形成し、凹部３０ａに熱電対３０のヘッド部を嵌入して熱電対３０を設置している。るつぼ１０の底部に熱電対３０を装着する構造とすることで、るつぼ１０の温度を正確に検知することができ、高精度の温度制御が可能となり、結晶を育成する歩留りを向上させることができる。
【００２１】
（種子付けの実験）
以下に、上述したテーパ収納部１１ｂを備えるるつぼ１０を使用して、垂直ブリッジマン法によりサファイア単結晶を育成した例について説明する。
図２に、サファイア結晶の育成に使用したるつぼと種結晶の配置を示す。種結晶には大きなサファイア結晶から円錐形状に加工した結晶を使用した。種結晶はテーパ収納部１１ｂのテーパ面に隙間なく接触面が接するようにテーパ面の傾斜角度を設定した。
【００２２】
図３（ａ）〜（ｄ）は、種子付け温度を変えて結晶を育成した結果を示す。使用した種結晶の形状、寸法は同一である。結晶原料にはサファイア微粉末を成形焼結した成形焼結体を使用した。
図３（ａ）、（ｂ）、（ｃ）、（ｄ）は、それぞれ、種子付け温度を2030.0℃、2017.5℃、2010.0℃、2010.0℃とした例である。
図３（ａ）では、種子付け温度が高かったために種結晶が全部溶けてしまい、単結晶が成長しなかった。
図３（ｂ）では、種結晶が高さ7.5mm残った状態で結晶が成長した。この例では、種結晶の先端部分まで融液が流れ込み、種結晶とるつぼのテーパ収納部との界面に融液が流れ込むことを完全には阻止できていない。
【００２３】
図３（ｃ）では、種結晶が高さ21mm残った状態で単結晶が育成され、図３（ｄ）では、種結晶が19mm残った状態で単結晶が育成された。いずれの場合も、種結晶とるつぼのテーパ収納部との界面への融液の流れ込みが種結晶の接触面の中途で阻止され、種子付けの再現性が確かめられた。
この実験結果は、種結晶をセットするテーパ収納部を備えるるつぼに、円錐形状の種結晶をセットし、的確な種子付け温度を設定することによって確実に単結晶を育成することができることを示している。
【００２４】
るつぼの底に種結晶をセットして結晶を育成する垂直ブリッジマン法においては、結晶原料のすべてをいったん溶融してから種結晶を種子付けして育成するから、種結晶と結晶原料を溶融した融液との種子付け操作が非常に重要である。結晶の製造効率を考慮するとできるだけ小さな種結晶を使用することが望ましいが、あまり種結晶を小さくすると種子付けの際に種結晶そのものが溶融してしまう。また、育成した単結晶の結晶方位も問題であり、種結晶自体から結晶が成長するように、種結晶とるつぼとの界面に融液が侵入しないようにして結晶成長させるのがよい。
【００２５】
（成長結晶の方位ずれ）
図４はテーパ収納部を備えるるつぼを使用し、円錐形状に加工した種結晶を用いてサファイア結晶を育成した実験例、図５は、従来の円柱形状に加工した種結晶を用いてサファイア結晶を育成した実験例を示す。
図４（ａ）は、育成後の結晶の外観写真、図４（ｂ）は、育成後の結晶の先端部分を拡大して示すトポグラフ写真を示す。図５（ａ）は、育成後の結晶の外観写真、図５（ｂ）は、育成後の結晶の先端部分を拡大して示すトポグラフ写真を示す。
【００２６】
まず、育成された結晶の結晶方位について、図４（ｂ）と図５（ｂ）とを比較する。
図４（ｂ）には、種結晶とるつぼの界面から上方に伸びる境界線が見えるが、結晶方位としては、結晶全体が種結晶の結晶方位に完全に一致して成長している。溶融した種結晶の界面が結晶中に見えている。
一方、図５（ｂ）では、育成した結晶の外周側面近傍に小傾角境界が見えており、この境界から外側部分については種結晶の結晶方位とずれている。また、結晶中に種結晶が溶融した界面が見えている。
この実験結果は、テーパ収納部を備えるるつぼを使用し、るつぼとの接触面をテーパ面とした種結晶を使用して単結晶を育成する方法は、単結晶全体が種結晶と結晶方位をそろえて成長させる方法として有効であることを示している。
【００２７】
また、単結晶の育成に用いる種結晶を比較すると、本発明の結晶育成方法において使用する円錐形状の種結晶は、高さ25mm、径35mm程度であるのに対して、従来の種結晶は高さ50mm、径55mm程度の円柱状に形成したものであり、本発明方法において用いる種結晶とくらべてはるかに大型である。本発明方法による場合は、従来使用している種結晶にくらべて小型の種結晶を用いて結晶を育成することができ、効率的に結晶を育成することが可能である。
【００２８】
図４は、るつぼのテーパ収納部のテーパ面の傾斜角度を３０度とした例であるが、テーパ収納部のテーパ角度を４５度としたるつぼを使用してサファイア結晶を育成する実験についても行った。この実験結果によると、テーパ収納部のテーパ角度を４５度とした場合も、結晶の外周側面に結晶方位がずれることによる境界が観察されず、結晶全体が種結晶の結晶方位に完全に一致して成長していることが確かめられた。このように、るつぼのテーパ収納部のテーパ面の傾斜角度は３０度に限定されるものではなく、育成する結晶に応じて適宜選択することができる。
【００２９】
図６は、テーパ収納部を備えるるつぼを使用して結晶を育成する場合と、従来の平坦状の底部を備えるつぼを使用して結晶を育成する場合の作用を示している。
図６（ａ）は、従来の平坦状の底部を備えるるつぼに種結晶２１を配置し、結晶原料を溶融した状態を示す。種結晶２１は上部が溶融して界面が球面状となる。この場合は、融液２２が種結晶２１とるつぼ（底部）の界面に流れ込んで（流れ込み部分２２ａ）結晶が成長するため、図６（ｂ）に示すように、種結晶２１と結晶方位が揃った結晶２１ａの部分と、結晶２１ａの外周側面に種結晶２１とは結晶方位がずれた結晶２１ｂの部分が生じる。
【００３０】
一方、図６（ｃ）、（ｄ）は、テーパ収納部を備えるるつぼを使用し、るつぼとの接触面をテーパ面とした種結晶２０を使用して育成する場合で、この場合は、種結晶２０とるつぼのテーパ収納部との界面に融液２２が流れ込むことが阻止され、図６（ｄ）に示すように、育成された結晶２１ａ全体の結晶方位が種結晶２０の結晶方位と完全に一致し、結晶中に結晶方位がずれた部分が生じることが抑制される。
【００３１】
このように、種結晶をセットするテーパ収納部を備えるるつぼを使用して結晶を育成する方法は、種結晶と結晶方位がそろった結晶を確実に育成する方法として有効である。また、るつぼとの接触面をテーパ面とした種結晶を使用することにより、従来のような円柱状の種結晶を使用する場合とくらべて種結晶の小型化を図ることができ、効率的に結晶を育成することができる。
【００３２】
（第２の実施の形態）
図７は、本発明に係る結晶の育成方法に用いるるつぼの第２の実施の形態を示す。
本実施形態のるつぼ１２は、種結晶と結晶原料を収納する容器部１３を、結晶原料を収納する収納部１３ａと、種結晶２４を収納するテーパ収納部１３ｂと、収納部１３ａとテーパ収納部１３ｂとの間に配したテーパ連結部１３ｃによって構成されている。
収納部１３ａは円筒形状に形成され、テーパ連結部１３ｃは内面が全体として下方へ徐々に縮径するテーパ面に形成されている。テーパ収納部１３ｂはテーパ連結部１３ｃの下端に連結し、内面が下方へ徐々に縮径するテーパ面に形成されている。
【００３３】
図７はテーパ収納部１３ｂに種結晶２４を配置した状態を示す。種結晶２４は、テーパ収納部１３ｂに接する接触面の傾斜角度をテーパ収納部１３ｂのテーパ面の傾斜角度と一致させ、図７に示すように、テーパ収納部１３ｂに種結晶２４をセットした際に、種結晶２４のテーパ面とテーパ収納部１３ｂのテーパ面との間に隙間が生じないようにする。
【００３４】
種結晶２４をテーパ収納部１３ｂに収納し、収納部１３ａに結晶原料を充填して単結晶を育成する理由は、第１の実施の形態と同様に種結晶２４とテーパ収納部１３ｂとの界面に結晶原料の融液が流れ込まないようにし、育成した結晶中に種結晶２４と結晶方位が異なる境界（結晶方位が異なる部分）が生じないようにするためである。
種結晶２４をテーパ収納部１３ｂにセットすることにより、種結晶２４とテーパ収納部１３ｂとの界面に融液が流れ込まないようになるから、種結晶２４の上部がテーパ収納部１３ｂから突出していてもかまわない。
【００３５】
図８は、テーパ収納部１３ｂとテーパ連結部１３ｃを備えるるつぼ１２を使用して、垂直ブリッジマン法によりサファイア結晶を育成した例を示す。
図８（ａ）がるつぼに種結晶をセットした配置図、図８（ｂ）が育成後の結晶の外観写真、図８（ｃ）が図８（ｂ）に示す断面におけるトポグラフ写真である。
図８（ｃ）を見ると、種結晶２４とテーパ収納部１３ｂとの界面から上方に伸びる微小傾角境界が結晶の中心部に見られるが、結晶方位は結晶全体として種結晶２４の結晶方位に一致し、良好な結晶が得られている。なお、結晶中に冷却時に生じたと思われるクラックが生じている。
【００３６】
本実施形態において使用した種結晶は、高さ約22mm、径約21mmの円錐形状としたものである。この種結晶は第１の実施の形態において使用した円錐形状の種結晶よりもさらに小型である。これらを比較すると、第１の実施の形態及び第２の実施の形態の結晶方法による場合は、従来方法と比較して顕著に種結晶を小型化でき、第２の実施の形態では、第１の実施の形態と比較してさらに種結晶を小型化することが可能となることｔがわかる。
【００３７】
第２の実施の形態のるつぼ１２は、いわばるつぼの底を２段のテーパ形状とすることにより、種結晶のさらなる小型化と、種結晶の結晶方位にそろえて単結晶を育成することを可能にしたものである。
このように、るつぼの底を２段のテーパ形状にする場合は、育成する結晶の種類に合わせて、テーパ収納部の径や高さ、テーパ連結部のテーパ面の傾斜角度や高さを適宜調節するのがよい。るつぼの底を２段のテーパ形状とすると、種結晶を収納するテーパ収納部のテーパ面の傾斜角度（鉛直方向に対する傾斜角度）は、１段のテーパ収納部を設ける場合と比較して小さくなる（急峻になる）から、これよりも傾斜角度が緩くなる（鉛直方向に対する傾斜角度は大きくなる）緩衝的な作用部分であるテーパ連結部１３ｃを設けることによって、種結晶の結晶方位をずらさずに確実に単結晶を育成することが可能になると考えられる。
【符号の説明】
【００３８】
１０、１２  るつぼ
１１、１３  容器部
１１ａ、１３ａ  収納部
１１ｂ、１３ｂ  テーパ収納部
１３ｃ  テーパ連結部
２０、２１、２４  種結晶
２１ａ、２１ｂ  結晶
２２  融液
３０  熱電対
【図１】
2012236733.tif 000003
【図６】
2012236733.tif 000004
【図７】
2012236733.tif 000005
【図２】
2012236733.tif 000006
【図３】
2012236733.tif 000007
【図４】
2012236733.tif 000008
【図５】
2012236733.tif 000009
【図８】
2012236733.tif 000010